(57)【特許請求の範囲】
【請求項１】
浴槽のフランジの裏面にフランジの前側の立ち下がり片から一定の間隔をあけてエプロン取付用の補助部材が設けられ、この補助部材が上記の立ち下がり片と形成する溝状スペースにエプロンの上部が係合されて取り付けられた浴槽のエプロン取付構造であって、上記の補助部材が、その上面の嵌合用の凸部を介してフランジの裏面に嵌合して接着されると共に、この補助部材の上記立ち下がり片と対向する側面の下部が、下方になるに連れ、立ち下がり片から徐々に遠ざけられて形成され、また補助部材が、その上面に、上記の嵌合用の凸部を挟んでその両側に溝を備えてなることを特徴とする浴槽のエプロン取付構造。
【請求項２】
請求項１記載の浴槽のエプロン取付構造であって、フランジの裏面に嵌合用の有底孔が後加工され、補助部材がこの有底孔をガイドにして取付けられることを特徴とする浴槽のエプロン取付構造。
【請求項３】
請求項１又は２記載の浴槽のエプロン取付構造であって、補助部材が底面を開口させて中空の棒状に形成され、その長手方向と直交する方向の断面形状が、中央縦線を介して左右対称であることを特徴とする浴槽のエプロン取付構造。
【発明の詳細な説明】
【０００１】
【発明の属する技術分野】
本発明は、浴槽のエプロン取付構造に関し、更に詳しくはエプロンの上部を浴槽のフランジに簡便且つ堅固に取り付けでき、エプロンの取付作業、組付作業を容易化できるよう形成した浴槽のエプロン取付構造に関するものである。
【０００２】
【従来の技術】
従来この種の取付構造としては、例えば図８に示されるように、浴槽ａのフランジｂの裏面に、フランジｂの前側の立ち下がり片ｃから一定の間隔をあけて、断面Ｌ字形のエプロン取付用補助部材ｄを設け、この補助部材ｄが上記の立ち下がり片ｃと形成する溝状スペースＳに、エプロンｅの上部を係合させて取り付けたものがある。
【０００３】
【発明が解決しようとする課題】
ところでこの種の取付構造は、浴槽の生産効率や、施工現場でエプロンを組付けする際の手間暇の増減に影響を与えるため、浴槽の生産効率を低下させることなく、且つ簡単、容易にエプロンを現場で取付け、組付けできるよう形成されているのが望ましい。又この種の構造は、長期間使用してもエプロンが外れることがないよう、エプロンを堅固に取り付けできるよう形成されているのが望ましい。
【０００４】
しかるに従来構造は、補助部材を上記の通り、断面Ｌ字形に形成し、この補助部材をフランジの裏面に位置決めして単に接着するものであったから、従来構造によると、所定の位置に補助部材を接着するのが難しかっただけではなく、エプロンに加わる振動や衝撃等で補助部材が脱落し易く、その結果エプロンが外れる惧れがあった。
【０００５】
又従来構造は、上記の通り、補助部材が断面Ｌ字形のため、溝状スペースの開口下面（間口）が狭いものであった。従って従来構造の場合は、エプロンの上部を、上記のスペースに差し入れて組付けし難かったから、従来構造によると、エプロンの取付作業、組付作業を簡便にできない、という問題点があった。
【０００６】
本発明は、このような従来構造の問題点に鑑み、提案されたものである。
従って本発明の技術的課題は、補助部材の取付けを容易化し、浴槽を効率良く生産、製造でき、又エプロンの取付け状態を、長期間にわたって堅固、確実にでき、更にはエプロンの取付作業、組付作業を、簡単、迅速にできるよう形成した浴槽のエプロン取付構造を提供することにある。
【０００７】
【課題を解決するための手段】
本発明は、上記の課題を解決するために、次のような技術的手段を採る。
【０００８】
即ち本発明は、図１に示されるように、浴槽１のフランジ２の裏面２ａにフランジ２の前側の立ち下がり片２ｂから一定の間隔をあけてエプロン取付用の補助部材３が設けられ、この補助部材３が上記の立ち下がり片２ｂと形成する溝状スペースＳにエプロン４の上部４ａが係合されて取り付けられた浴槽１のエプロン取付構造であって、上記の補助部材３が、その上面の嵌合用の凸部３ａを介してフランジ２の裏面２ａに嵌合して接着されると共に、この補助部材３の上記立ち下がり片２ｂと対向する側面の下部３ｃが、下方になるに連れ、立ち下がり片２ｂから徐々に遠ざけられて形成され、また補助部材３が、その上面に、上記の嵌合用の凸部３ａを挟んでその両側に溝３ｂを備えてなることを特徴とする（請求項１）。
【０００９】
本発明の場合は、溝３ｂによって補助部材３の上面の接着面積が拡大し、又溝３ｂが接着剤の溜り箇所となり、一層、堅固に補助部材３を接着できる。この本発明の場合、溝３ｂは、補助部材３の長手方向に延びて形成される場合には限られず、その他例えば網目状や斜目状に形成されるのでも良い。なお本発明の場合、補助部材３が凸部３ａを複数備えてなると、補助部材３の固定状態を、一層、堅固、確実にできる。
【００１０】
この場合本発明は、フランジ２の裏面２ａに嵌合用の有底孔が後加工され、補助部材３がこの有底孔をガイドにして取付けられるのが好ましい（請求項２）。
【００１１】
この場合は、補助部材３の位置決めが容易になり、その分、浴槽を効率良く生産できるからである。
【００１２】
又ここで、補助部材３の立ち下がり片２ｂと対向する側面の下部３ｃが、下方になるに連れ、立ち下がり片２ｂから徐々に遠ざけられて形成され、とは、溝状スペースＳの間口を広く形成する、ということを意味する。具体的には、上記側面の下部３ｃを、傾斜面状、或いは湾曲面状に形成することで達成される。
【００１３】
又本発明は、図２、図５等に示されるように、補助部材３が底面を開口させて中空の棒状に形成され、その長手方向と直交する方向の断面形状が、中央縦線Ｌ（図７参照）を介して左右対称であるのが好ましい（請求項３）。
【００１４】
なぜならこの場合は、補助部材３を手指で摘まんでフランジ２の裏面２ａに嵌め付け易く、又側面の何れか一方を選ぶことなく、フランジ２の立ち下がり片２ｂに対向させることができるからである。
【００１５】
【発明の実施の形態】
以下、本発明の好適な一実施形態を添付図面に従って説明する。
【００１６】
本発明は、図１に示されるように、浴槽１のフランジ２の裏面２ａにフランジ２の前側の立ち下がり片２ｂから一定の間隔をあけてエプロン取付用の補助部材３が設けられる。同図において、Ｓは、補助部材３が上記の立ち下がり片２ｂと形成する溝状スペースである。エプロン４は、このスペースＳに差し入れられ、上部４ａが係合されて取り付けられる。なお５は、パッキンである。
【００１７】
上記の補助部材３は、フランジ２の裏面２ａに嵌合させ、接着することにより設けられている。３ａ（図２等参照）は、補助部材３の上面に所定の間隔をあけて設けられた嵌合用の凸部である。この凸部３ａは、この実施形態では二個形成されている。
【００１８】
又補助部材３は、図２等に示されるように、この実施形態では長手方向に延びて形成された溝３ｂを、上面に備えてなる。この溝３ｂは、補助部材３の接着面積を拡大させると共に、接着剤の溜り箇所として機能する。従ってこの実施形態の場合、補助部材３は、フランジ２の裏面２ａに堅固に接着される。
【００１９】
又補助部材３は、立ち下がり片２ｂと対向する側面の下部３ｃが、下方になるに連れ、立ち下がり片２ｂから徐々に遠ざけられて形成されている。この実施形態の場合、具体的には補助部材３の側面の下部３ｃは、傾斜面状に形成されている。
【００２０】
又補助部材３は、図示されるように、この実施形態では棒状に形成され、その長手方向と直交する方向の断面形状が、中央縦線Ｌ（図７参照）を介して左右対称に形成されている。
【００２１】
【発明の効果】
以上説明したように本発明は、補助部材を、その上面の嵌合用の凸部を介してフランジの裏面に嵌合して接着すると共に、この補助部材の立ち下がり片と対向する側面の下部を、下方になるに連れ、立ち下がり片から徐々に遠ざけて形成し、また補助部材が、その上面に、上記の嵌合用の凸部を挟んでその両側に溝を備えてなるものである。
【００２２】
従って本発明によれば、フランジ裏面に予め加工する有底孔をガイドにして補助部材を取付けできるから、補助部材の位置決めが容易になり、その分、浴槽を効率良く生産できる。又本発明の場合は、補助部材の固定状態が強固になるから、エプロンを長期間わたって確実、堅固に取り付けできる。更に本発明は、エプロンの上部を差し込むための溝状スペースの間口が広くなるから、これによれば、エプロンを、簡単、容易に組付けできる。
【図面の簡単な説明】
【図１】  本発明構造の好適な一実施形態を示す要部断面図である。
【図２】  補助部材の斜視図である。
【図３】  補助部材の平面図である。
【図４】  補助部材の正面図である。
【図５】  補助部材の底面図である。
【図６】  図３のVIーVI線における断面図である。
【図７】  図４のVIIーVII線における断面図である。
【図８】  従来例を示し、Ａは要部断面図、Ｂは補助部材の斜視図である。
【符号の説明】
１    浴槽
２    フランジ
２ａ  裏面
２ｂ  立ち下がり片
３    補助部材
３ｃ  立ち下がり片と対向する側面の下部
４    エプロン
４ａ  上部
Ｓ    溝状スペース
【図１】
0003736288.tif 000002
【図２】
0003736288.tif 000003
【図３】
0003736288.tif 000004
【図４】
0003736288.tif 000005
【図５】
0003736288.tif 000006
【図６】
0003736288.tif 000007
【図７】
0003736288.tif 000008
【図８】
0003736288.tif 000009